(57)【要約】      （修正有）【課題】被測定者の皮膚からガスを収集して、この皮膚ガスとキャリアガスとを混合する滞留時間を十分確保することができ、しかも、短絡も生じない皮膚ガス収集器を提供する。【解決手段】キャリアガスが供給されるキャリアガス供給室Ａと、このキャリアガス供給室からキャリアガスが供給されると共に、被測定者の皮膚に密着させて皮膚ガスを収集し、これらキャリアガスと皮膚ガスとを混合する皮膚ガス収集室Ｂと、この皮膚ガス収集室から前記混合ガスを回収する回収室Ｃとを設ける。【選択図】図１
2018091628.tif 000002
【特許請求の範囲】
【請求項１】
キャリアガスが供給されるキャリアガス供給室と、このキャリアガス供給室からキャリアガスが供給されると共に、被測定者の皮膚に密着させて皮膚ガスを収集し、これらキャリアガスと皮膚ガスとを混合する皮膚ガス収集室と、この皮膚ガス収集室から前記混合ガスを回収する回収室とを有することを特徴とする皮膚ガス収集器。
【請求項２】
収集器本体とこの収集器本体に収容された仕切り板ユニットとで構成される皮膚ガス収集器であって、
収集器本体が筒状の側壁とその一方端部を塞ぐ底壁とを有すると共に、他方端部を開口部としており、
仕切り板ユニットは、収集器本体の内部をキャリアガス供給室、皮膚ガス収集室、回収室の３室に区分しており、
キャリアガス供給室には、このキャリアガス供給室にキャリアガスを供給するキャリアガス供給口が設けられており、
皮膚ガス収集室はキャリアガス供給室に連通してこのキャリアガス供給室からキャリアガスが供給されるように構成されていると共に、収集器本体の前記開口部に面して、この開口部を被測定者の皮膚に密着させることによりその皮膚ガスを収集して、前記キャリアガスと皮膚ガスとを混合するように構成されており、
回収室は皮膚ガス収集室に連通してこの皮膚ガス収集室から前記混合ガスを回収するように構成されていると共に、この混合ガスを排出する混合ガス排出口が設けられている、
ことを特徴とする皮膚ガス収集器。
【請求項３】
前記収集器本体が、前記開口部の周囲に柔軟な当接部を有することを特徴とする請求項２に記載の皮膚ガス収集器。
【発明の詳細な説明】
【技術分野】
【０００１】
本発明は、人体の皮膚に当接してこの皮膚から発生する各種ガスを収集する収集器に関する。
【背景技術】
【０００２】
人体の皮膚は、水蒸気や炭酸ガスを始めとして各種ガスを放出している。この皮膚ガスを収集分析して、その健康状態を検査できることは公知である。
【０００３】
例えば、特許文献１には、皮膚ガスに含まれるアセトンの量は、糖尿病、肥満、自家中毒と関連があり、アンモニアの量は、尿毒症、肝不全、腹部膿瘍、ピロリ菌と関連があることが指摘されている。
【０００４】
特許文献１には、皮膚から皮膚ガスを収集、分析装置（例えばガスクロマトグラフィー分析相違）に送出する収集器として、数多くの例が記載されているが、皮膚ガスを一定時間滞留させるため、スパイラル状の流路を有する収集器が好適に使用されている。
【０００５】
この皮膚ガス収集器は図４の分解斜視図に示すような構造を有している。すなわち、この皮膚ガス収集器２００は、円筒部材５と蓋体６とによって構成されており、円筒部材５の内部は隔壁５ｂによってスパイラル状の流路５ａに区分されている。蓋体６は円筒部材５の一方端部を閉塞するもので、この蓋体６には供給管７と排出管８とが取り付けられている。供給管７はキャリアガスを、キャリアガス供給用流路５ｃを経由してスパイラル状流路５ａの中央に供給するもので、この中央位置がスパイラル状流路５ａの始点とされている。また、排出管８は、収集された皮膚ガスとキャリアガスとの混合ガスを分析装置に送出するもので、スパイラル状流路５ａの終点に位置している。また、円筒部材５の反対側端部は、その中央部を皮膚ガス収集用開口部としている。
【０００６】
この皮膚ガス収集器２００は次のように使用する。すなわち、まず、円筒部材５の開放端部、すなわち、皮膚ガス収集用開口部を人体の皮膚に密着させ、円筒部材５の他方端部に蓋体６を重ねて閉塞する。そして、供給管７からキャリアガスを供給する。このキャリアガスはキャリアガス供給用流路５ｃを経由してスパイラル状流路５ａの中央（始点）に到達する。皮膚から発生する皮膚ガスは、円筒部材５の皮膚ガス収集用開口部からスパイラル状流路５ａの中央（始点）に入り、ここでキャリアガスと混合する。スパイラル状流路５ａはその始点から終点まで十分な長さを有するから、皮膚ガスとキャリアガスとはこのスパイラル状流路５ａを移動する間に十分均一に混合する。そして、このように均一に混合した混合ガスは排出管８を通じて皮膚ガス収集器２００から排出され、分析装置や専用の回収容器に送出される。
【先行技術文献】
【特許文献】
【０００７】
【特許文献１】特開２００２−１９５９１９号公報
【発明の概要】
【発明が解決しようとする課題】
【０００８】
ところで、このような皮膚ガス収集器２００は、円筒部材５の内部を隔壁５ｂによってスパイラル状流路５ａに区画し、このスパイラル状流路５ａを通過させることによって皮膚ガスを滞留させて均一に混合させているから、円筒部材５と皮膚との密着が不十分な場合には、皮膚ガスとキャリアガスとの混合ガスは隔壁５ｂを乗り越えて短絡する。そして
、このように短絡すると、皮膚ガスとキャリアガスとは十分均一に混合されないまま分析装置に送出される結果を招くことになる。
【０００９】
一方、円筒部材５を強く皮膚に当てると、被測定者に苦痛与えたり、あるいはこのように強い圧迫を長時間続けると皮膚がかぶれたりすることがある。
【００１０】
そこで、本発明は、皮膚ガスとキャリアガスとを混合する滞留時間を十分確保することができ、しかも、前述のような短絡も生じない皮膚ガス収集器を提供することを目的とする。
【課題を解決するための手段】
【００１１】
すなわち、請求項１に記載の発明は、キャリアガスが供給されるキャリアガス供給室と、このキャリアガス供給室からキャリアガスが供給されると共に、被測定者の皮膚に密着させて皮膚ガスを収集し、これらキャリアガスと皮膚ガスとを混合する皮膚ガス収集室と、この皮膚ガス収集室から前記混合ガスを回収する回収室とを有することを特徴とする皮膚ガス収集器である。
【００１２】
次に、請求項２に記載の発明は、収集器本体とこの収集器本体に収容された仕切り板ユニットとで構成される皮膚ガス収集器であって、
収集器本体が筒状の側壁とその一方端部を塞ぐ底壁とを有すると共に、他方端部を開口部としており、
仕切り板ユニットは、収集器本体の内部をキャリアガス供給室、皮膚ガス収集室、回収室の３室に区分しており、
キャリアガス供給室には、このキャリアガス供給室にキャリアガスを供給するキャリアガス供給口が設けられており、
皮膚ガス収集室はキャリアガス供給室に連通してこのキャリアガス供給室からキャリアガスが供給されるように構成されていると共に、収集器本体の前記開口部に面して、この開口部を被測定者の皮膚に密着させることによりその皮膚ガスを収集して、前記キャリアガスと皮膚ガスとを混合するように構成されており、
回収室は皮膚ガス収集室に連通してこの皮膚ガス収集室から前記混合ガスを回収するように構成されていると共に、この混合ガスを排出する混合ガス排出口が設けられている、
ことを特徴とする皮膚ガス収集器である。
【００１３】
次に、請求項３に記載の発明は、前記収集器本体が、前記開口部の周囲に柔軟な当接部を有することを特徴とする請求項２に記載の皮膚ガス収集器である。
【発明の効果】
【００１４】
本発明の皮膚ガス収集器においては、皮膚ガスを収集してキャリアガスと混合する皮膚ガス収集室に続いて、キャリアガスと皮膚ガスと混合ガスを回収する回収室を備えているから、この混合ガスは回収室で滞留し、十分均一に混合することができる。そして、このように均一に混合された混合ガスを回収室から排出して、分析装置に送出するから、正確な分析が可能となるのである。
【図面の簡単な説明】
【００１５】
【図１】図１は本発明の皮膚ガス収集器の具体例を示す断面説明図である。
【図２】図２（ａ）は本発明の皮膚ガス収集器を構成する収集器本体の断面説明図であり、図２（ｂ）は仕切り板ユニットの断面説明図である。
【図３】図３（ａ）は本発明の皮膚ガス収集器の具体例を示す平面図、図２（ｂ）は底面図である。
【図４】図４は従来の皮膚ガス収集器を示す分解斜視図である。
【発明を実施するための形態】
【００１６】
以下、図面を参照して本発明の具体例を説明する。図面の図１は本発明の皮膚ガス収集器の具体例を示す断面説明図である。なお、この皮膚ガス収集器１００は収集器本体１０と仕切り板ユニット２０の２つの部品で構成されており、図２（ａ）は収集器本体１０の断面説明図、図２（ｂ）は仕切り板ユニット２０の断面説明図である。
【００１７】
収集器本体１０は、筒状の側壁１１とこの側壁１１の一方端部を塞ぐ底壁１２とを有している。筒状側壁１１の他方端部は開口部で、開口部周縁にはフランジ１３を有している。このフランジ１３は、皮膚ガスを収集する際に人体の皮膚に当接する当接部を構成している。
【００１８】
筒状の側壁１１の内面には、仕切り板ユニット２０を固定する固定用突起１１ａが設けられている。また、底壁１２には、キャリアガス供給管３を接続するキャリアガス供給孔１２ａと排出管４を接続する排出孔１２ｂとが設けられている。
【００１９】
この収集器本体１０は任意の材質で構成することができるが、フランジ１３を人体の皮膚に密着する必要から、柔軟で弾性の高い材質で構成することが望ましい。例えば、熱可塑性樹脂である。中でも、スチレン−ブタジエンゴムのようなゴムを素材とすることが望ましい。
【００２０】
次に、仕切り板ユニット２０は収集器本体１０の内部をキャリアガス供給室Ａ、皮膚ガス収集室Ｂ、回収室Ｃの３室に区分するもので、この例では断面Ｔ字状に構成されている。このＴ字状仕切り板ユニット２０のうち、図示垂直な部分２３はキャリアガス供給室Ａと回収室Ｃとに区分する隔壁を構成するものである。また、この隔壁２３の図示左側に位置する水平部分２１はキャリアガス供給室Ａと皮膚ガス収集室Ｂとを区分する隔壁を構成するもので、この隔壁２１には、これらキャリアガス供給室Ａと皮膚ガス収集室Ｂとを連通する連通孔２１ａが多数設けられている。そして、隔壁２３の図示右側に位置する水平部分２２は皮膚ガス収集室Ｂと回収室Ｃとを区分する隔壁を構成するもので、この隔壁２２にも、これら皮膚ガス収集室Ｂと回収室Ｃとを連通する連通孔２２ａが多数設けられている。
【００２１】
この仕切り板ユニット２０は、図１に示すように、収集器本体１０の内部に収容されている。なお、この皮膚ガス収集器１００の平面図を図３（ａ）に示す。また、図３（ｂ）は皮膚ガス収集器１００の平面図を示しているが、この図では、説明の便宜のため、隔壁２３を破線で示している。
【００２２】
これらの図から分かるように、仕切り板ユニット２０は、その周縁を固定用突起１１ａに支えられて固定されている。そして、隔壁２３は、キャリアガス供給室Ａと回収室Ｃとが連通しないように、気密に底壁１２に押し付けられている。そして、前述のように、この仕切り板ユニット２０によって、収集器本体１０の内部をキャリアガス供給室Ａ、皮膚ガス収集室Ｂ、回収室Ｃの３室に区分しているが、キャリアガス供給孔１２ａがキャリアガス供給室Ａの内部に位置し、また、排出孔１２ｂが回収室Ｃの内部に位置するように配置されている。
【００２３】
仕切り板ユニット２０は任意の材質で構成することが可能である。例えば、熱可塑性樹脂である。
【００２４】
そして、この皮膚ガス収集器１００は次のように使用することができる。すなわち、まず、キャリアガス供給孔１２ａにキャリアガス供給管３を接続すると共に、排出孔１２ｂ
に排出管４を接続する。
【００２５】
次に、皮膚ガス収集室Ｂのフランジ（当接部）１３を被測定者の皮膚に押し当てることにより、皮膚ガス収集器１００の開口部を皮膚に密着させる。この際、フランジ（当接部）１３は柔軟な弾性体で構成されているから、強く圧迫しなくても、皮膚ガス収集室Ｂの開口部を皮膚に対して気密に密着させることが可能である。そして、このように密着させることにより、皮膚から発生した皮膚ガスは皮膚ガス収集室Ｂに収集される。
【００２６】
次に、キャリアガス供給管３からキャリアガス供給孔１２ａを通じてキャリアガス供給室Ａにキャリアガスを供給する。キャリアガス供給室Ａと皮膚ガス収集室Ｂとは連通孔２１ａで連通していうから、キャリアガスはこの連通孔２１ａを通って皮膚ガス収集室Ｂに供給され、収集した皮膚ガスと混合される。
【００２７】
次に、皮膚ガス収集室Ｂと回収室Ｃとは連通孔２２ａで連通しているから、皮膚ガスとキャリアガスとの混合ガスはこの連通孔２２ａを通って回収室Ｃに回収される。そして、この回収室Ｃの内部でこれら皮膚ガスとキャリアガスとは均一に混じり合い、その後、排出孔１２ｂと排出管４とを通って排出され、分析装置に送出される。なお、分析装置に送出する代わりに専用の容器に送出してもよい。
【符号の説明】
【００２８】
１００：皮膚ガス収集器
１０：収集器本体
１１：筒状側壁    １１ａ：固定用突起
１２：底壁    １２ａ：キャリアガス供給孔    １２ｂ：混合ガス排出孔
１３：フランジ（当接部）
２０：仕切り板ユニット
２１：隔壁    ２１ａ：連通孔
２２：隔壁    ２２ａ：連通孔
２３：隔壁
３：キャリアガス供給管
４：混合ガス排出管
Ａ：キャリアガス供給室    Ｂ：皮膚ガス収集室    Ｃ：回収室
２００：皮膚ガス収集器
５：円筒部材    ５ａ：スパイラル状流路    ５ｂ：隔壁    ５ｃ：キャリアガス供給用流路
６：蓋体
７：キャリアガス供給管
８：混合ガス排出管
【図１】
2018091628.tif 000003
【図２】
2018091628.tif 000004
【図３】
2018091628.tif 000005
【図４】
2018091628.tif 000006